(57)【特許請求の範囲】
【請求項１】
保護ヘルメットに取り付けられ、かつ２つの耳保護部材を備えた耳保護具であって、
各々の前記耳保護部材が、
フォーク状支持ブラケットであって、そのフォーク間に耳保護カプセルを回動可能に支持するフォーク状支持ブラケットと、
前記支持ブラケットを、前記耳保護カプセルが耳に対して所定の距離離れて整合するように外側に傾けた待機位置及び前記耳保護カプセルが耳を覆う位置に配置されるように内側に傾けた使用位置の双方で安定するように揺動変位させることができるように、前記支持ブラケットにヒンジ結合された回転板と、
前記ヘルメットに取り付けられるかまたは取り付け可能に構成された受容部であって、前記支持ブラケットが、前記待機位置、及び前記耳保護カプセルが耳に対して整合していない休止位置間で前後に回動可能になるように、前記回転板を回転可能に支持する受容部と、
前記回転板内に回転可能に配置された偏心ボルトとを備え、
前記休止位置は、ストッパによって規定され、
前記支持ブラケット及び前記回転板は、該支持ブラケット及び該回転板を貫通支持する可傾軸体を有する可傾連結部材によって互いに連結され、
前記支持ブラケットの先端及び前記回転板の間に位置する前記可傾連結部材に隣接して配置されたヨークばねによって、該支持ブラケットは予負荷をかけられて別のストッパに係止され、該別のストッパが前記支持ブラケットの前記待機位置と前記支持ブラケットの前記使用位置とを規定し、それによって、前記支持ブラケットの該待機位置及び該使用位置での安定が確保され、
前記受容部が、前記ヘルメットの内面に取り付けられるように構成された、
前記偏心ボルトが、前記ヨークばねによって前記支持ブラケットに加えられる前記予負荷を調整するために、前記ヨークばねに接触することを特徴とする耳保護具。
【請求項２】
請求項１に記載の耳保護具であって、
前記支持ブラケットの前記先端付近まで延長するように形成された前記回転板の延長部に、前記回転板の回転軸に近接離間する方向に変位可能に支持されたスライド部材をさらに備え、
前記スライド部材は、前記回転板の前記回転軸に向かう方向に突出する保持突起を有し、前記回転板の前記回転軸に向かう方向に圧縮ばねによって予負荷をかけられ、
前記待機位置及び前記休止位置の間で前記回転板が回転するときに、前記保持突起が摺動するスライド経路が、前記受容部の辺縁によって形成されており、
前記回転板は、前記使用位置においては、前記支持ブラケットが前記受容部に係止されることによって前記休止位置方向への回転が防止され、前記待機位置においては、前記休止位置方向への回転が防止されず、前記休止位置においては、前記保持突起が前記受容部の前記スライド経路の凹部によって形成された前記ストッパに解除可能に保持されることを特徴とする耳保護具。
【請求項３】
請求項１又は２に記載の耳保護具であって、
前記受容部には、溝が形成されており、該溝は、前記回転板の周縁の上部に形成された円弧状肩部を受容するために少なくとも半円状に延在することを特徴とする耳保護具。
【請求項４】
請求項３に記載の耳保護具であって、
前記受容部から片持ち支持されるように突出して設けられた弾性舌部が、前記回転板に設けられた相補的くぼみと係合することによって、前記受容部及び前記回転板の相互係合がロックされ、前記回転板に配置された押しボタンにより前記相互係合を解除するように構成されたことを特徴とする耳保護具。
【発明の詳細な説明】
【技術分野】
【０００１】
本発明は、保護ヘルメット、特に森林作業者用保護ヘルメットに固定される耳保護具に関する。耳保護具は２つの耳保護部材を有する。耳保護部材の各々は、耳保護カプセルを回動可能に支持するフォーク状の支持ブラケットと、支持ブラケットが離間位置及び隣接位置の両方で安定して揺動できるように支持ブラケットにヒンジ結合された回転板と、ヘルメットに取り付け可能または取り付けられ、回転板を回転可能に支持し、回転板を使用位置と休止位置との間で回動可能に支持する受容部とを備える。
【背景技術】
【０００２】
このような耳保護部材は特許文献１に開示されており、より詳しく参照すると以下の通りである。
【０００３】
このような耳保護具を有する保護ヘルメットは、特許文献２に開示されている。この保護ヘルメットは、ヘルメットシェルと内装構造体とから構成されている。この内装構造体は、ヘルメットを頭に装着せしめ、頭とヘルメットシェルとの間の衝撃吸収距離を確保する、交差ストラップを備える。当該ヘルメットは、その外周部に、ヘルメットの側部および後部を外囲する突出部を有し、下側エッジ部に前記交差ストラップを取り付けるための４つの凹部と、下端で追加の取り付け要素を固定するための他の凹部とが設けられる。追加の取り付け要素は、必要に応じて追加され、又は取り除かれる。ヘルメットの最も広い位置で、凹部は、ヘルメットの最大部を囲う突出部の外側に設けられる。これが、他の構成品もある中での耳保護具の取り付け位置である。この耳保護具は、それぞれワイヤブラケットと耳保護カプセルとを備える２つの耳保護部材から構成される。耳保護具は、顔面保護具とともに、突出部に挿入される一般的な結合要素によってヘルメットの外側に取り付けられる。このような部品を備えたヘルメットは、、ヘルメットを着用して障害物が存在するところを通ると、障害物が耳保護カプセルの背後に引っかかるため、そのヘルメットの着用者を害し、または、ヘルメットを着用者の頭から取り去って着用者を危険にする、という不利益があった。
【０００４】
特許文献１に開示された耳保護具は、先に述べたように、耳保護カプセルを保護ヘルメットの外側に取り付けるための器具を備える。ここで参照される保護ヘルメットは、標準的には、２つの耳保護部材が、ヘルメットの外側の、耳の上方に位置するヘルメットの各側部の端部に設けられたスロットまたはスロットのような部位に取り外し可能に取り付けられるように設計されている。この目的のため、受容部または各々の耳保護部材は、スナップ式締結具でスロット内に固定できるように形成されている。耳保護部材は、作業中は、耳保護カプセルが耳に近接する隣接位置に配置される、使用位置に置かれる。耳保護具が一時的に不要な場合は、耳保護部材を使用位置から待機位置に動かすことができる。この位置では、耳保護カプセルは、まだ耳を覆うような位置にあるが、耳から外側に回動した離間位置に配置される。例えば、作業中に会話することができるように、耳保護カプセルはこの位置に保持されることもできる。最後に、耳保護部材は、不使用位置、すなわち休止位置に配置することもできる。休止位置では、耳保護カプセルは、使用位置から後ろ上方に向けて、ヘルメットの外側に回動させられる。耳保護カプセルをヘルメットの端部を通って休止位置に動かせるようにするため、まず、耳保護部材を待機位置に持っていく必要がある。各々の耳保護カプセルを離間位置または隣接位置に保持することは、耳保護カプセルの支持ブラケットを耳保護部材の回転板にヒンジ結合した二枚舌の板ばねによって可能となる。
【先行技術文献】
【特許文献】
【０００５】
【特許文献１】DE 10 2007 011 110 A1（ドイツ国特許公報）
【特許文献２】DE 87 14 490 U1（ドイツ国実用新案公報）
【発明の概要】
【発明が解決しようとする課題】
【０００６】
公知の耳保護具によって解決された課題の１つは、休止位置において耳保護カプセルを含む支持ブラケットを保持する点に見られる。重力のせいで耳保護カプセルが下方に回転し、休止位置から待機位置に戻ろうとする問題があったためである。そのような下方向への回転を避けるため、使用者が支持ブラケットを、休止位置の内側に回動させることは知られていた。ここで、休止位置は、双安定性の板ばねが耳保護カプセルを外側からヘルメットシェルに押し付けるように、支持ブラケットを上側に傾けた位置である。このように、例えば、支持ブラケットをヘルメットに取り付ける際に、比較的大きな力がヘルメットに発生していたため、その力がヘルメット及び／又は支持ブラケットが損傷するリスクを上昇させていた。そのため、公知の耳保護具は、ヘルメットの外側にひっくり返された各耳保護カプセルの安全位置を取りうるように形成された。この目的を達成するため、受容部は、回転軸に実質的に平行に突出する突出部を備え、突出部は、公知の耳保護具内の支持ブラケットに隣接するとき、特定の回転位置において回転板の動きを制限する。公知の耳保護具では、この問題の解決手段は、双安定性の板バネを使っているため複雑であり、実際、板ばねは、耳保護カプセルとともに支持ブラケットが使用位置または待機位置において所定の離間または隣接した状態をとることを可能にすると推定されるが、同時に、支持ブラケットを回転板にヒンジ結合させるために使用されるため、正確に決められた揺動ポイントを取ることができず、ヘルメット使用者の頭のサイズが異なる場合には、耳保護カプセルによって耳にかかる圧力を所定の値に確保することができなかった。支持ブラケットと回転板との間のヒンジ結合は、双安定性板ばねによってのみ成立し、その２つの双安定端位置に依存するため、支持ブラケットは、正確に規定された離間位置をとることも、正確に規定された隣接位置を取ることもできず、このことは、頭のサイズの違いに対する耳保護具の調整を妨げる。
【０００７】
耳保護部材は、休止位置で、受容部の突出部に隣接する板ばねに補助されて固定される。しかしながら、この補助は、板ばねの突出部に対する摩擦に依存しており、そのため、時間の経過によって変化するかもしれない。そのため、ストッパとの係合を外して回転板を使用位置に向けて動かすための力は、時間の経過によって減少するかもしれないが、それにもかかわらず、使用者は、休止位置においてヘルメットの外側で耳保護部材を内側に回動させて、耳保護カプセルがヘルメットシェルに外側から押し付けられるようにし、そのような耳保護カプセルの補助により、支持ブラケットの下方向への望ましくない回転を防ぐことを試みるかもしれない。
【０００８】
本発明の目的は、初めに言及したタイプの耳保護具を、上述の問題が取り除かれるように構成することである。すなわち、特に、耳保護具の障害物への接触によって使用中のヘルメットが障害物に引っかかるというリスク、及び耳保護部材が休止位置から保護位置に意図せず逆回転するというリスクを除去することを目的とする。
【課題を解決するための手段】
【０００９】
本発明によると、この問題は、その可傾軸体が支持ブラケット及び回転板を貫通支持する可傾連結部材によって互いに接続された支持ブラケット及び回転板、回転板と支持ブラケットの先端との間の可傾軸体に隣接して配置され、支持ブラケットが離間位置及び隣接位置に揺動することができかつ両位置で安定するように両位置を規定する追加のストッパに隣接するように支持ブラケットに予負荷（プレストレス）を与えるヨークばね、並びに、ヘルメットの内面に取り付けられるように構成された受容部によって解決される。
【００１０】
本発明によると、耳保護カプセル及びこれに連結した支持ブラケットが保護ヘルメットの周縁内に実質的に配置されるように、受容部はヘルメットの内面に取り付けられる。そのため、ヘルメットは、枝等の障害物がその外側に引っかかるあらゆる可能性をもたらさない。もし、耳保護具が必要でない場合は、耳保護具は、保護ヘルメットの周縁内、ヘルメット内に配置される休止位置になるように後方に回転させることができる。
【００１１】
支持ブラケット及び耳保護カプセルに加えて、ヘルメットの内面、特にヘルメットシェルの内面に各々の耳保護部材が受容部に取り付けられるため、受容部はまた、ヘルメットに接触するかもしれない障害物による外力の作用から保護される。さらに、受容部がヘルメットの内面に取り付けられているため、支持ブラケットは、ヘルメットシェルと内装構造体との隙間の中で、待機位置と休止位置との間を揺動可能である。すなわち、支持ブラケットは、常にヘルメットシェルの周縁内に配置されている。従って、支持ブラケット及び耳保護カプセルは、どちらの位置においても、障害物が引っかかり又は係合する部分をもたらさない。
【００１２】
本発明に係る耳保護具の各々の耳保護部材において、支持ブラケット及び回転板が、その可傾軸体が支持ブラケット及び回転板を貫通支持する可傾連結部材によって互いに接続されているため、支持ブラケットを回転板にヒンジ結合させるために従来使用されていた双安定性板ばねによってもたらされていた不利益が取り除かれた。本発明に係る耳保護具において、可傾軸体は、時間の経過によって変化しない回転中心を規定する。さらに、本発明によると、回転板と支持ブラケットの先端との間の可傾連結部材に隣接して配置されて、支持ブラケットに予負荷を与えるヨークばねのみが、支持ブラケットと回転板との間に力を築き上げることを確実にする。また、ヨークばねは、支持ブラケットの離間位置と隣接位置とを規定しない。むしろ、これらの位置は境界ストッパによって決定される。ヨークばねのみが支持ブラケットをこれらのストッパの方へ動かす力を与える。そのため、他のストッパとともにヨークばねは、支持ブラケットが離間及び隣接したときの、支持ブラケットの明確な境界位置を確立し、それにより、境界ストッパ間で両位置に揺動させることができ、かつ両位置で安定させ得ることを確実にする。
【００１３】
本発明による耳保護具において、ヨークばねは、支持ブラケットを支持する継ぎ手の機能を有さないが、ヨークばねのみが、支持ブラケットを追加のストッパで規定された離間位置及び隣接位置に保持することを可能にする助力となる力を築き上げるのに資する。耳保護カプセルが、休止位置においてヘルメットの内側かつヘルメットの内層構造体の外側に配置され、それにより、両側部からの圧力の結果として休止位置から下方に回転する傾向が実質的に減少するため、本発明に係る耳保護具によって、耳保護部材が休止位置から待機位置の方向に下がるという望ましくない下方回転の問題は、たとえ完全に取り除かれなかったとしても、大きく低減される。
【００１４】
本発明に係る耳保護具の一実施形態は、保護ヘルメットに取り付けられ、かつ２つの耳保護部材を備えた耳保護具であって、各々の前記耳保護部材が、フォーク状支持ブラケットであって、そのフォーク間に耳保護カプセルを回動可能に支持するフォーク状支持ブラケットと、前記支持ブラケットを、前記耳保護カプセルが耳に対して所定の距離離れて整合するように外側に傾けた待機位置及び前記耳保護カプセルが耳を覆う位置に配置されるように内側に傾けた使用位置の双方で安定するように揺動変位させることができるように、前記支持ブラケットにヒンジ結合された回転板と、前記ヘルメットに取り付けられるかまたは取り付け可能に構成された受容部であって、前記支持ブラケットが、前記待機位置、及び前記耳保護カプセルが耳に対して整合していない休止位置間で前後に回動可能になるように、前記回転板を回転可能に支持する受容部とを備え、前記休止位置は、ストッパによって規定され、前記支持ブラケット及び前記回転板は、該支持ブラケット及び該回転板を貫通支持する可傾軸体を有する可傾連結部材によって互いに連結され、前記支持ブラケットの先端及び前記回転板の間に位置する前記可傾連結部材に隣接して配置されたヨークばねによって、該支持ブラケットは予負荷をかけられて別のストッパに係止され、該別のストッパが前記支持ブラケットの前記待機位置と前記支持ブラケットの前記使用位置とを規定し、それによって、前記支持ブラケットの該待機位置及び該使用位置での安定が確保され、前記受容部が、前記ヘルメットの内面に取り付けられるように構成されたことを特徴とする。また、他の側面においては、上記構成において、前記回転板内に回転可能に配置された偏心ボルトをさらに備え、前記偏心ボルトが、前記ヨークばねによって前記支持ブラケットに加えられる前記予負荷を調整するために、前記ヨークばねに接触することを特徴とする。また、他の側面においては、上記構成において、前記支持ブラケットの前記先端付近まで延長するように形成された前記回転板の延長部に、前記回転板の回転軸に近接離間する方向に変位可能に支持されたスライド部材をさらに備え、前記スライド部材は、前記回転板の前記回転軸に向かう方向に突出する保持突起を有し、前記回転板の前記回転軸に向かう方向に圧縮ばねによって予負荷をかけられ、前記待機位置及び前記休止位置の間で前記回転板が回転するときに、前記保持突起が摺動するスライド経路が、前記受容部の辺縁によって形成されており、前記回転板は、前記使用位置においては、前記支持ブラケットが前記受容部に係止されることによって前記休止位置方向への回転が防止され、前記待機位置においては、前記休止位置方向への回転が防止されず、前記休止位置においては、前記保持突起が前記受容部の前記スライド経路の凹部によって形成された前記ストッパに解除可能に保持されることを特徴とする。また、他の側面においては、上記構成において、前記受容部には、溝が形成されており、該溝は、前記回転板の周縁の上部に形成された円弧状肩部を受容するために少なくとも半円状に延在することを特徴とする。また、他の側面においては、上記構成において、前記受容部から片持ち支持されるように突出して設けられた弾性舌部が、前記回転板に設けられた相補的くぼみと係合することによって、前記受容部及び前記回転板の相互係合がロックされ、前記回転板に配置された押しボタンにより前記相互係合を解除するように構成されたことを特徴とする。
【００１５】
本発明に係る耳保護具の一実施形態において、ヨークばねによって支持ブラケットに加えられる初期力を調整するための偏心ボルトが回転板に回転可能に配置され、ヨークばねに接触する。そのため、簡素な方法で、支持ブラケットの隣接位置で耳保護カプセルを耳に押し付ける力の強度を調整することができる。
【００１６】
本発明に係る別の実施形態では、圧縮ばねによって回転板に向かう方向に予負荷されたスライド部材は、支持ブラケットの先端に変位可能に支持されている。スライド部材は、受容部のスライド経路に接触可能な保持突起を備え、支持ブラケットによって隣接位置に変位することが妨げられ、離間位置に変位することが妨げられず、休止位置で、支持ブラケットが解除可能に保持されるように受容部のスライド経路の凹部に係合する。本発明に係るこの実施形態では、ばねに予負荷されたスライド部材は、回転板と係合しており、支持ブラケットの先端をスライド部材の凹部に係合させて保持する。従って、スライド部材の凹部は、支持ブラケットの隣接位置を規定する追加のストッパの１つを形成する。一方、支持ブラケットの先端は、結果的に他のストッパの１つを構成して支持ブラケットの離間位置を規定する凹部内で回転板に隣接する。後者の位置において、スライド部材は、回転板に対して反対方向に作用する圧縮ばねの力に逆らって、受容部のスライド経路に沿って支持ブラケットとともに変位可能であり、それにより、回転板を含む支持ブラケットが受容部内を回動でき、耳保護カプセルを含む支持ブラケットが休止位置に配置され得る。
【００１７】
本発明に係る別の実施形態では、回転板の円弧状肩部を受容するための少なくとも半円状に延在する溝が、受容部に形成される。回転板は、その回転の間、受容部内でガイドされる。
【００１８】
本発明に係る別の実施形態では、受容部から突出する弾性舌部が、受容部と回転板との相互係合をロックするために回転板の相補的くぼみに係合し、その相互係合を解除するための押しボタンが回転板に配置される。このように、支持ブラケットは、スナップ式締結具によって回転板とともに受容部に所定位置で固定され、押しボタンを操作することで解除される。
【図面の簡単な説明】
【００１９】
以下、本発明の実施形態について、図面を参照して詳細に説明する。
【図１】本発明による耳保護部材を備えた保護ヘルメットを示し、ヘルメットシェルが断面図で示され、耳保護具を構成する２つの耳保護部材が待機位置にある状態、すなわち耳から離れるように回動した状態で示されている。
【図２】図１の保護ヘルメットを、耳保護部材が使用位置にある状態、すなわち耳に隣接した状態を示す。
【図３】図２の保護ヘルメットの側面図である。
【図４】図３の保護ヘルメットを示し、本発明による耳保護具が休止位置に回動され、ヘルメット内に収容されている状態を示す。
【図５】図４の保護ヘルメットの底面図であり、本発明による耳保護具の耳保護部材の一方のみが片方の側部に示されている。
【図６】本発明による耳保護具の２つの耳保護部材の一方の平面図である。
【図７】図６の耳保護部材の正面図である。
【図８】待機位置にある図６及び図７の耳保護部材の側面図である。
【図９】図６の耳保護部材の背面図である。
【図１０】図８の耳保護部材の上部の長手方向断面図である。
【図１１Ａ】休止位置に回動された図７の耳保護部材の上部を受容部とともに示す。
【図１１Ｂ】図１１Ａの耳保護部材の側面図である。
【図１２Ａ】待機位置に逆回動させた図１１Ａの耳保護部材を示す。
【図１２Ｂ】図１２Ａの耳保護部材の側面図である。
【図１３Ａ】使用位置にある、図１２Ａの耳保護部材である。
【図１３Ｂ】図１３Ａの耳保護部材の側面図である。
【図１４】図５の保護ヘルメットのヘルメットシェルを下方斜視図で示し（内層構造体は図示していない）、明確にするため、ヘルメットシェルの内面に取り付けられている、耳保護部材の受容部の一方のみを示す。
【発明を実施するための形態】
【００２０】
全体を符号３０で示す、特に森林作業用に設計された保護ヘルメットは、図１、図５及び図１４においてそれぞれ異なる角度から見た図で示されており、本発明に係る耳保護具３３を備える。耳保護具３３は、２つの耳保護部材３４ａ、３４ｂを備える。保護ヘルメット３０は、ヘルメットシェル３６と、全体が符号４０で示され、支持ケージ４２、ヘッドバンド４４及びネックバンド４６を有する内層構造体サブアセンブリとを備える。ネックバンド４６は、全体が符号４８で示される、緊締ユニットを有する。
【００２１】
スペーサとして形成された３つの支持アーム（図１及び図２では、支持アーム５４、５５のみが示されている）は、内層構造体すなわち内層構造体サブアセンブリ４０のヘルメットシェル３６への３点結合手段として機能する。耳保護具３３用の取付具だけではなく、耳保護部材３４ａ、３４ｂの耳保護カプセル３５ａ、３５ｂ、及びヘルメットの他の付属品を収納するための間隙６０が、内層構造体サブアセンブリ４０とヘルメットシェル３６との間に存在するように、ヘルメットシェルは十分な大きさを有する（すなわち、内部の幅は十分長くかつ広い）。ヘルメットの他の付属品は、上述のネックバンド４６の緊締ユニット４８を含む。耳保護具３３との関係において、間隙６０は、図５に見られる休止位置において、耳保護カプセル３５ａ、３５ｂがヘルメットシェル３６の内面に隣接し、かつ内層構造体サブアセンブリ４０の外面に隣接するように、決定される。
【００２２】
耳保護具３３の取付具は、ヘルメットシェル３６の内面に取り付けられた２つの受容部８０ａ、８０ｂを備える。受容部８０ａ、８０ｂは、詳細は以下に記載されるように、耳保護カプセル３５ａ、３５ｂとともに用いられる支持ブラケット３７ａ、３７ｂのためのピボットベアリングである。受容部８０ａ、８０ｂは、それぞれ、ピボットベアリングのベアリングカップとしてヘルメットシェル３６の内面に一体成形され、また好ましくは、追加部品として固定して取り付けられる。
【００２３】
次に、図面、特に図１−図５及び図１４を参照して、耳保護具３３をより詳しく説明する。図１４は、内層構造体アセンブリ４０を図示しない状態の、ヘルメットシェル３６の下方斜視図であり、特に、ヘルメットシェル３６の内側に受容部８０ａが図示されている。図示されない他方の受容部８０ｂは、反対側に反対に取り付けられている。図１は、両側に耳保護具３３を備えた保護ヘルメット３０を示し、ヘルメットシェル３６は断面図で示され、耳保護部材３４ａ、３４ｂは離間した状態、すなわち耳から離れるように回動した待機位置で示されている。図２は、図１の保護ヘルメットを示すが、耳保護部材３４ａ、３４ｂは、耳に当てた状態である使用位置で示されている。図３は、図２の保護ヘルメットの側面図を示す。図４は、図３の保護ヘルメットを示すが、耳保護部材３４ａ、３４ｂは、後ろ側に回動されて休止位置にあり、ヘルメット３０に収容された状態を示す。
【００２４】
２つの耳保護部材３４ａ、３４ｂは、２つの耳保護カプセル３５ａ、３５ｂを備え、そのそれぞれは、フォーク状の支持ブラケット３７ａ又は３７ｂに回動可能に支持される。ヘルメットシェル３６の内面には、受容部８０ａ、８０ｂが固く取り付けられている。図６−図１３に見ることができるように、受容部８０ａ、８０ｂにおいて、支持ブラケット３７ａ、３７ｂの先端がヒンジ結合された回転板３９ａ、３９ｂが回転可能に支持されている。受容部８０ａ、８０ｂ及び支持ブラケット３７ａ、３７ｂは、支持ブラケット３７ａ、３７ｂが間隙６０の中で２つの位置の間を回動するように配置され、形成される。２つの位置とは、図２及び図３に示され、耳保護カプセル３５ａ、３５ｂが耳に向けて回動された使用位置と、図４に示され、耳保護カプセル３５ａ、３５ｂがヘルメット３０の間隙６０に収容された休止位置とである。
【００２５】
各々の支持ブラケット３７ａ、３７ｂは、ばね付勢され、かつ間隙６０内に延在するその両端間の領域で曲げることができるように構成されており、図１に示されるように、耳保護カプセル３５ａ、３５ｂが耳から離れるように回動して、支持ブラケット３７ａ、３７ｂの非屈曲位置となり、図２に示されるように、耳保護カプセル３５ａ、３５ｂが耳に近づくように回動して、支持ブラケット３７ａ、３７ｂの屈曲位置となる。もし、保護ヘルメット３０が使用者の頭部に装着されていないのならば、２つの耳保護カプセル３５ａ、３５ｂは、それぞれ、耳保護カプセル３５ａ、３５ｂが隣接すべき耳よりも実質的に内側の位置まで届く。換言すると、耳保護カプセル間の距離は、この場合、実質的に耳の間の距離よりも短くなる。このように、ヘルメット３０を着用したとき、耳保護カプセル３５ａ、３５ｂは、予め力が加えられたばねによって耳に押し付けられ続ける。２つ所定の位置（両方とも安定）の間で支持ブラケット３７ａ、３７ｂの各々を曲げるために用いられる、予め力が加えられたばねは、（例えば図７に見られるような）環状に曲げられたヨークばね（yoke spring）９２ａ、９２ｂによってもたらされる。各々の支持ブラケット３７ａ、３７ｂは、隣接位置及び離間位置に手動で動かすことができる。これらの位置の各々に、ヨークばね９２ａ又は９２ｂは、それぞれ、後述のストッパと協働して、端位ロックをもたらす。もし、ヘルメットが着用され、各々の耳保護カプセル３５ａ、３５ｂが弾力をもって耳に押し付けられ続けるべき場合は、支持ブラケット３７ａ、３７ｂは端位ロックに達するべきではない。
【００２６】
さらに、受容部８０ａ、８０ｂの各々、及び回転板３９ａ、３９ｂを含む支持ブラケット３７ａ、３７ｂの各々は、支持ブラケットが図１に示される位置からは後ろにのみ回動できるように形成される。このように、耳保護カプセル３５ａ、３５ｂが、耳及びヘルメットシェル３６の下側縁部に衝突せずに、耳の後ろの間隙６０に収容され得ることが確実にされる。図６は、耳の保護部３３の耳保護部材３４ａ、３４ｂの背面図を示す。耳保護部材３４ａ、３４ｂは、互いに同じように、すなわち、ヘルメット３０の右側及び左側に取り付けることができるように、形成される。異なるのは、受容部８０ａ、８０ｂのデザインだけであり、それは、後方に行くにつれてだんだんと下降するスライド経路８６ａ、８６ｂを有する点である。受容部８０ａは、図１４に示される。受容部８０ａはまた、図１１−図１３に示される。
【００２７】
図７の示すところによると、耳保護カプセル３５ａ、３５ｂは、フォーク状の支持ブラケット３７ａ、３７ｂに回動可能に支持されている。回転板３９ａ、３９ｂは、図８に見られるような可傾連結部材８２ａ、８２ｂによって、支持ブラケット３７ａ、３７ｂにヒンジ結合される。可傾連結部材８２ａ、８２ｂは、支持ブラケット３７ａ、３７ｂ及び回転板３９ａ、３９ｂに設けられた孔に挿入される棒状の軸体として形成された可傾軸８４ａ、８４ｂを含むものとして形成され、そのため、支持ブラケット３７ａ、３７ｂと回転板３９ａ、３９ｂとを貫通する。もし、耳保護部材３４ａ、３４ｂが耳に対してそれぞれの位置に配置されるならば、可傾連結部材８２ａ、８２ｂが存在するため、支持ブラケット３７ａ、３７ｂは、離間位置（待機位置）になるように揺動することができ、及び隣接位置（使用位置）になるように揺動することができる。図１３に示される使用位置において、耳保護カプセル３５ａ、３５ｂは耳に隣接する。また、耳保護カプセル３５ａ、３５ｂは、離間した待機位置、すなわち、耳保護カプセルが耳に押し付けられていない位置を占めることもできる。この待機位置は、図１２に示される。図１３による使用位置では、耳保護部材３４ａ、３４ｂは、限定された角度範囲内でのみ回動可能である。図１２による待機位置からは、耳保護部材３４ａ、３４ｂが、図１１に示される休止位置まで回動できる。受容部８０ａ、８０ｂは、通常はヘルメット３０の内面、より正確には、ヘルメットシェル３６の内面に固定的に取り付けられているが、説明の便宜上、図１０−図１３にも図示されている。回転板３９ａ、３９ｂは、受容部８０ａ、８０ｂに回転可能に支持され、図１２による待機位置と図１１による休止位置との間で回動できる。使用位置及び休止位置は、詳しくは後述されるストッパによって規定されている。
【００２８】
図１２に示される耳保護部材３４ａ、３４ｂの待機位置では、耳から離れるように回動した支持ブラケット３７ａ、３７ｂの先端３８ａ、３８ｂは、ヨークばね９２ａ、９２ｂの予負荷によって、回転板３９ａ、３９ｂに強固に結合されたカバープレート５１ａ、５１ｂによって形成されたストッパ４１ａ、４１ｂ上に保持される。ヨークばね９２ａ、９２ｂの初期力は、支持ブラケット３７ａ、３７ｂをストッパ４１ａ、４１ｂに安定して隣接させ続ける。ストッパ４１ａ、４１ｂとは反対側に、受容部８０ａ、８０ｂは、凹部８９ａ、８９ｂを有し、それにより支持ブラケット３７ａ、３７ｂの先端３８ａ、３８ｂが、図１２Ｂに示される待機位置から図１３Ｂに示される使用位置まで回動できる。ストッパ４１ａ、４１ｂに対向する、受容部８０ａ、８０ｂの壁は、支持ブラケット３７ａ、３７ｂの先端３８ａ、３８ｂが、図１３Ｂに示される使用位置においてヨークばね９２ａ、９２ｂの初期力によって保持される別のストッパ４３ａ、４３を形成する。回転板３９ａ、３９ｂにヒンジ結合された支持ブラケット３７ａ、３７ｂは、使用位置においては先端３８ａ、３８ｂで、図１１に示される支持ブラケット３７ａ、３７ｂの休止位置への回動変位を妨げる。
【００２９】
回転板３９ａ、３９ｂの回動性及び非回動性は、図１０−１３の断面図に示されるスライド部材９８ａ、９８ｂによって決定される。スライド部材９８ａ、９８ｂは、支持ブラケット３７ａ、３７ｂの先端３８ａ、３８ｂ上側に配置された回転板３９ａ、３９ｂの延長部に変位可能に支持されており、圧縮ばね９６ａ、９８ｂによって回転板３９ａ、３９ｂに向かう方向に予負荷が加えられている。受容部８０ａ、８０ｂには、その下端にスライド経路８６ａ、８６ｂが設けられている。図１０−図１３においては、ヘルメットの左内面に取り付けられた受容部８０ａのみが示されている。そのため、これらの図では、スライド経路の内、符号８６ａで示される方のみが図示されている。スライド部材９８ａ、９８ｂは、受容部８０ａ、８０ｂのスライド経路８６ａ、８６ｂと接触することができる保持突起１０４ａ、１０４ｂを備え、図１３Ｂの隣接位置では、支持ブラケット３７ａ、３７ｂは、スライド部材９８ａ、９８ｂが変位することを防ぐが、図１１及び図１２の離間位置では、支持ブラケット３７ａ、３７ｂは、スライド部材９８ａ、９８ｂが変位することを妨げない。離間位置に置かれた支持ブラケット３７ａ、３７ｂは、スライド部材９８ａ、９８ｂが変位することを妨げず、休止位置にある支持ブラケット３７ａ、３７ｂが解除可能に保持されるように、スライド部材９８ａ、９８ｂは、受容部８０ａ、８０ｂのスライド経路８６ａ、８６ｂにある凹部８７ａ、８７ｂに係合する。スライド部材９８ａ、９８ｂは、図１２の待機位置から図１１の休止位置に回転移動することによって変位する。変位したスライド部材９８ａ、９８ｂは、支持ブラケット３７ａ、３７ｂが使用位置の方向、すなわち、支持ブラケット３７ａ、３７ｂの隣接位置の方向への回動変位を禁止する。図１２の待機位置では、スライド部材９８ａ、９８ｂの変位は妨げられないため、支持ブラケット３７ａ、３７ｂが、図１１の休止位置に回動できる。図１３の使用位置では、耳保護カプセル３５ａ、３５ｂを含む支持ブラケット３７ａ、３７ｂが休止位置に回動しないように、スライド部材９８ａ、９８ｂは変位しない。支持ブラケット３７ａ、３７ｂが図１２の待機位置に逆回動したときに再び回動可能となり、その状態では、支持ブラケット３７ａ、３７ｂの先端３８ａ、３８ｂは、図１３の使用位置から離れてストッパ４３ａ、４３ｂに隣接していない。
【００３０】
受容部８０ａ、８０ｂには、溝８５ａ、８５ｂが形成されており、溝８５ａ、８５ｂは、少なくとも半円状に延在し、図１０に見られるように、回転板３９ａ、３９ｂの円弧状の肩部４９ａ、４９ｂを収容する。図１０では、受容部８０ａ、８０ｂが、回転板３９ａ、３９ｂの方へ突出した弾性舌部８１ａ、８１ｂを備えることをさらに見ることができる。弾性舌部８１ａ、８１ｂは、回転板３９ａ、３９ｂ上の相補的くぼみ８３ａ、８３ｂに係合し、受容部８０ａ、８０ｂと回転板３９ａ、３９ｂとの相互係合をロックする。回転板３９ａ、３９ｂには、そのロックを解除するための押しボタン５０ａ、５０ｂが設けられている。図９に示す押しボタン５０ａ、５０ｂを押すと、図１０の弾性舌部８１ａ、８１ｂが右へ押され、それによって、受容部８０ａ、８０ｂと回転板３９ａ、３９ｂとの間のスナップ式締結が再び解除される。
【００３１】
耳保護カプセル３５ａ、３５ｂは、耳及び頭の形により容易に調整できるように、耳に面する側の側面が長手方向に凹状に湾曲している。このため、適用する圧力を減少させても、耳への圧力分配が改善されるため、騒音の侵入に対する閉鎖性を高めることができる。
【符号の説明】
【００３２】
３０            保護ヘルメット
３３            耳保護具
３４ａ、３４ｂ  耳保護部材
３５ａ、３５ｂ  耳保護カプセル
３６            ヘルメットシェル
３７ａ、３７ｂ  支持ブラケット
３８ａ、３８ｂ  先端
３９ａ、３９ｂ  回転板
４０            内層構造体サブアセンブリ
４１ａ、４１ｂ  ストッパ（待機位置、支持ブラケット）
４２            支持ケージ
４３ａ、４３ｂ  ストッパ（使用位置、支持ブラケット）
４４            ヘッドバンド
４６            ネックバンド
４８            緊締ユニット
４９ａ、４９ｂ  円弧状肩部
５０ａ、５０ｂ  押しボタン
５１ａ、５１ｂ  カバープレート
５４            支持アーム
５５            支持アーム
６０            間隙
８０ａ、８０ｂ  受容部
８１ａ、８１ｂ  弾性舌部
８２ａ、８２ｂ  可傾連結部材
８３ａ、８３ｂ  相補性くぼみ
８４ａ、８４ｂ  可傾軸体
８５ａ、８５ｂ  溝
８６ａ、８６ｂ  スライド経路
８７ａ、８７ｂ  凹部
８８ａ、８８ｂ  保持突起
８９ａ、８９ｂ  凹部
９２ａ、９２ｂ  ヨークばね
９４ａ、９４ｂ  偏心ボルト
９６ａ、９６ｂ  圧縮ばね
９８ａ、９８ｂ  スライド部材
【図１】
0006046614.tif 000002
【図２】
0006046614.tif 000003
【図３】
0006046614.tif 000004
【図４】
0006046614.tif 000005
【図５】
0006046614.tif 000006
【図６】
0006046614.tif 000007
【図７】
0006046614.tif 000008
【図８】
0006046614.tif 000009
【図９】
0006046614.tif 000010
【図１０】
0006046614.tif 000011
【図１１Ａ】
0006046614.tif 000012
【図１１Ｂ】
0006046614.tif 000013
【図１２Ａ】
0006046614.tif 000014
【図１２Ｂ】
0006046614.tif 000015
【図１３Ａ】
0006046614.tif 000016
【図１３Ｂ】
0006046614.tif 000017
【図１４】
0006046614.tif 000018